【手続補正書】
【提出日】平成31年4月18日(2019.4.18)
【手続補正１】
【補正対象書類名】特許請求の範囲
【補正対象項目名】全文
【補正方法】変更
【補正の内容】
【特許請求の範囲】
【請求項１】
プロセッサと、メモリと、通信回路とを備えている装置であって、前記装置は、その通信回路を介して通信ネットワークに接続され、前記装置は、前記装置の前記メモリ内に記憶されているコンピュータ実行可能命令をさらに備え、前記命令は、前記装置の前記プロセッサによって実行されると、
アタッチ要求メッセージをユーザ機器（ＵＥ）から受信することであって、前記アタッチ要求メッセージは、前記ＵＥがスモールデータプロシージャをサポートすることの指示と、前記ＵＥがスモールデータプロシージャを使用することの要求とを含む、ことと、
第２のメッセージをネットワークノードから受信することであって、前記第２のメッセージは、スモールデータプロシージャを使用すべき１つ以上のパケットデータネットワーク（ＰＤＮ）接続を示し、前記第２のメッセージは、前記１つ以上のＰＤＮ接続の各々に対応するスモールデータプロシージャのタイプをさらに示す、ことと、
前記第２のメッセージに基づいて、前記アタッチ要求メッセージに応答することと
を前記装置に行わせる、装置。
【請求項２】
前記アタッチ要求メッセージに対する前記応答は、アタッチ応答メッセージを備え、前記アタッチ応答メッセージは、前記ＵＥが前記第２のメッセージに示されている前記スモールデータプロシージャのうちの１つを使用するスモールデータモードで機能すべきことの指示を含む、請求項１に記載の装置。
【請求項３】
前記装置は、コンピュータ実行可能命令をさらに備え、前記命令は、前記装置のプロセッサによって実行されると、
前記第２のメッセージに示されている前記スモールデータプロシージャのうちの１つを使用して、データを前記ＵＥに配信することを前記装置に行わせる、請求項１に記載の装置。
【請求項４】
前記装置は、コンピュータ実行可能命令をさらに備え、前記命令は、前記装置のプロセッサによって実行されると、
前記第２のメッセージに示されている前記スモールデータプロシージャのうちの１つに従って、データを前記ＵＥから受信することを前記装置に行わせる、請求項１に記載の装置。
【請求項５】
ユーザ機器（ＵＥ）と、ネットワークノードとを備えている通信ネットワークに接続されている装置によって行われる方法であって、前記方法は、
アタッチ要求メッセージを前記ＵＥから受信することであって、前記アタッチ要求メッセージは、前記ＵＥがスモールデータプロシージャをサポートすることの指示と、前記ＵＥがスモールデータプロシージャを使用することの要求とを含む、ことと、
第２のメッセージを前記ネットワークノードから受信することであって、前記第２のメッセージは、スモールデータプロシージャを使用すべき１つ以上のパケットデータネットワーク（ＰＤＮ）接続を示し、前記第２のメッセージは、前記１つ以上のＰＤＮ接続の各々に対応するスモールデータプロシージャのタイプをさらに示す、ことと、
前記第２のメッセージに基づいて、前記アタッチ要求メッセージに応答することと
を含む、方法。
【請求項６】
前記アタッチ要求メッセージに対する前記応答は、アタッチ応答メッセージを備え、前記アタッチ応答メッセージは、前記ＵＥが前記第２のメッセージに示されている前記スモールデータプロシージャのうちの１つを使用するスモールデータモードで機能すべきことの指示を含む、請求項５に記載の方法。
【請求項７】
前記方法は、前記第２のメッセージに示されている前記スモールデータプロシージャのうちの１つを使用して、データを前記ＵＥに配信することをさらに含む、請求項５に記載の方法。
【請求項８】
前記方法は、前記第２のメッセージに示されている前記スモールデータプロシージャのうちの１つに従って、データを前記ＵＥから受信することをさらに含む、請求項５に記載の方法。
【請求項９】
前記示されているスモールデータプロシージャは、非アクセス層（ＮＡＳ）メッセージングを介して示される、請求項６に記載の方法。
【請求項１０】
前記方法は、モバイル管理エンティティによって行われる、請求項５に記載の方法。
【請求項１１】
前記方法は、ホーム加入者サーバから前記第２のメッセージを受信することをさらに含む、請求項５に記載の方法。
【請求項１２】
前記第２のメッセージは、加入者データ挿入メッセージまたは場所更新要求メッセージを備えている、請求項５に記載の方法。
【請求項１３】
前記第２のメッセージは、スモールデータプロシージャが前記１つ以上のＰＤＮ接続の各々に対して使用されるべきである持続時間をさらに示す、請求項１に記載の装置。
【請求項１４】
前記第２のメッセージは、スモールデータプロシージャが前記１つ以上のＰＤＮ接続の各々に対して使用されるべきである持続時間をさらに示す、請求項５に記載の方法。
【手続補正２】
【補正対象書類名】明細書
【補正対象項目名】００１８
【補正方法】変更
【補正の内容】
【００１８】
本概要は、発明を実施するための形態において以下でさらに説明される、簡略化形態の一連の概念を導入するように提供される。本概要は、請求される主題の主要な特徴または不可欠な特徴を識別することを意図せず、請求される主題の範囲を限定するために使用されることも意図していない。さらに、請求される主題は、本開示の任意の部分で記述されるいずれかまたは全ての不利点を解決する制限に限定されない。
本願明細書は、例えば、以下の項目も提供する。
（項目１）
プロセッサと、メモリと、通信回路とを備えている装置であって、前記装置は、その通信回路を介して通信ネットワークに接続され、前記装置は、前記装置の前記メモリ内に記憶されているコンピュータ実行可能命令をさらに備え、前記命令は、前記装置の前記プロセッサによって実行されると、
第１のメッセージをユーザ機器（ＵＥ）から受信することと、
第２のメッセージをネットワークノードから受信することであって、前記第２のメッセージは、スモールデータプロシージャを使用すべき１つ以上のパケットデータネットワーク（ＰＤＮ）接続を示し、前記第２のメッセージは、前記１つ以上のＰＤＮ接続の各々に対応するスモールデータプロシージャのタイプをさらに示す、ことと、
前記第２のメッセージに基づいて、前記第１のメッセージに応答することと
を含む動作を前記装置に行わせる、装置。
（項目２）
前記第１のメッセージは、前記ＵＥがスモールデータプロシージャをサポートすることの指示を含むアタッチ要求メッセージを備えている、項目１に記載の装置。
（項目３）
前記第１のメッセージは、前記ＵＥがスモールデータプロシージャを使用することの要求を含むアタッチ要求メッセージを備えている、項目１に記載の装置。
（項目４）
前記第１のメッセージに対する前記応答は、アタッチ応答メッセージを備え、前記アタッチ応答メッセージは、前記ＵＥが前記第２のメッセージに示されている前記スモールデータプロシージャのうちの１つを使用するスモールデータモードで機能すべきことの指示を含む、項目１から３のいずれか１項に記載の装置。
（項目５）
前記装置は、コンピュータ実行可能命令をさらに備え、前記命令は、前記装置のプロセッサによって実行されると、
前記第２のメッセージに示されている前記スモールデータプロシージャのうちの１つを使用して、データを前記ＵＥに配信することを含むさらなる動作を前記装置に行わせる、項目１から４のいずれか１項に記載の装置。
（項目６）
前記装置は、コンピュータ実行可能命令をさらに備え、前記命令は、前記装置のプロセッサによって実行されると、
前記第２のメッセージに示されている前記スモールデータプロシージャのうちの１つに従って、データを前記ＵＥから受信することを含むさらなる動作を前記装置に行わせる、項目１から５のいずれか１項に記載の装置。
（項目７）
前記スモールデータプロシージャは、非アクセス層（ＮＡＳ）メッセージングを介して示される、項目４から６のいずれか１項に記載の装置。
（項目８）
ユーザ機器と、ネットワークノードとを備えている通信ネットワークに接続されている装置によって行われる方法であって、前記方法は、
第１のメッセージを前記ＵＥから受信することと、
第２のメッセージを前記ネットワークノードから受信することであって、前記第２のメッセージは、スモールデータプロシージャを使用すべき１つ以上のパケットデータネットワーク（ＰＤＮ）接続を示し、前記第２のメッセージは、前記１つ以上のＰＤＮ接続の各々に対応するスモールデータプロシージャのタイプをさらに示す、ことと、
前記第２のメッセージに基づいて、前記第１のメッセージに応答することと
を含む、方法。
（項目９）
前記第１のメッセージは、前記ＵＥがスモールデータプロシージャをサポートすることの指示を含むアタッチ要求メッセージを備えている、項目８に記載の方法。
（項目１０）
前記第１のメッセージは、前記ＵＥがスモールデータプロシージャを使用することの要求を含むアタッチ要求メッセージを備えている、項目８に記載の方法。
（項目１１）
前記第１のメッセージに対する前記応答は、アタッチ応答メッセージを備え、前記アタッチ応答メッセージは、前記ＵＥが前記第２のメッセージに示されている前記スモールデータプロシージャのうちの１つを使用するスモールデータモードで機能すべきことの指示を含む、項目８から１０のいずれか１項に記載の方法。
（項目１２）
前記方法は、前記第２のメッセージに示されている前記スモールデータプロシージャのうちの１つを使用して、データを前記ＵＥに配信することをさらに含む、項目８から１１のいずれか１項に記載の方法。
（項目１３）
前記方法は、前記第２のメッセージに示されている前記スモールデータプロシージャのうちの１つに従って、データを前記ＵＥから受信することをさらに含む、項目８から１２のいずれか１項に記載の方法。
（項目１４）
前記示されているスモールデータプロシージャは、非アクセス層（ＮＡＳ）メッセージングを介して示される、項目１１から１３のいずれか１項に記載の方法。
（項目１５）
前記装置は、モバイル管理エンティティを備えている、項目８から１４のいずれか１項に記載の方法。
（項目１６）
前記ネットワークノードは、ホーム加入者サーバを備えている、項目８から１５のいずれか１項に記載の方法。
（項目１７）
前記第２のメッセージは、加入者データ挿入メッセージまたは場所更新要求メッセージを備えている、項目８から１５のいずれか１項に記載の方法。
（項目１８）
ユーザ機器と、モバイル管理エンティティ（ＭＭＥ）と、ホーム加入者サーバ（ＨＳＳ）とを備えているシステムにおける方法であって、前記方法は、
前記ＵＥによって、アタッチ要求メッセージを前記ＭＭＥに送信することと、
前記アタッチ要求メッセージに基づいて、前記ＭＭＥが、前記ＨＳＳから、前記ＵＥが前記ＭＭＥとＵＥとの間でスモールデータプレーンを使用すべきかどうかを示す情報を読み出すことと、
前記読み出された情報に基づいて、前記ＭＭＥが、前記ＵＥに、前記ＵＥが前記スモールデータプレーンを使用すべきことを示すアタッチ受諾メッセージを送信することと
を含む、方法。
（項目１９）
前記方法は、前記ＵＥによって、前記アタッチ受諾メッセージに従って、前記スモールデータプレーンを経由してデータを前記ＭＭＥに送信することをさらに含む、項目１８に記載の方法。
（項目２０）
前記方法は、前記ＭＭＥによって、前記アタッチ受諾メッセージに従って、前記スモールデータプレーンを経由してデータを前記ＵＥに送信することをさらに含む、項目１８および１９のいずれか１項に記載の方法。